(57)【特許請求の範囲】
【請求項１】
咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、を備える全部床義歯の人工歯配列訓練用の模型セットの使用方法であって、
前記上顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側前歯部を参考としながら、前記パラフィンワックス、軟質ワックス又は硬質ワックスを熱源で溶融して該咬合堤に前記上顎左側前歯部としての人工歯を排列する上顎前歯部の第１排列工程と、
前記上顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側前歯部を参考としながら、前記パラフィンワックス、軟質ワックス又は硬質ワックスを熱源で溶融して該咬合堤に前記上顎右側前歯部としての人工歯を排列する上顎前歯部の第２排列工程と、を備えることを特徴とする全部床義歯の人工歯配列訓練用の模型セットの使用方法。
【請求項２】
前記模型セットは、咬合堤に、上顎臼歯部を設ける一方、上顎右側前歯部及び上顎左側前歯部を欠損し、その欠損した該上顎右側前歯部及び上顎左側前歯部と対応する前記咬合堤の所定部位に切欠部を設けてなる上顎前歯部用の第３模型を更に備え、
前記上顎前歯部の第１排列工程及び第２排列工程の後に、前記上顎前歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記上顎右側前歯部及び上顎左側前歯部としての人工歯を排列する上顎前歯部の第３排列工程を更に備える請求項１記載の全部床義歯の人工歯配列訓練用の模型セットの使用方法。
【請求項３】
咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、を備える全部床義歯の人工歯配列訓練用の模型セットの使用方法であって、
前記上顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側臼歯部を参考としながら、前記パラフィンワックス、軟質ワックス又は硬質ワックスを熱源で溶融して該咬合堤に前記上顎左側臼歯部としての人工歯を排列する上顎臼歯部の第１排列工程と、
前記上顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側臼歯部を参考としながら、前記パラフィンワックス、軟質ワックス又は硬質ワックスを熱源で溶融して該咬合堤に前記上顎右側臼歯部としての人工歯を排列する上顎臼歯部の第２排列工程と、を備えることを特徴とする全部床義歯の人工歯配列訓練用の模型セットの使用方法。
【請求項４】
前記模型セットは、咬合堤に、上顎前歯部を設ける一方、上顎右側臼歯部及び上顎左側臼歯部を欠損し、その欠損した該上顎右側臼歯部及び上顎左側臼歯部と対応する前記咬合堤の所定部位に切欠部を設けてなる上顎臼歯部用の第３模型を更に備え、
前記上顎臼歯部の第１排列工程及び第２排列工程の後に、前記上顎臼歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記上顎右側臼歯部及び上顎左側臼歯部としての人工歯を排列する上顎臼歯部の第３排列工程を更に備える請求項３記載の全部床義歯の人工歯配列訓練用の模型セットの使用方法。
【請求項５】
咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、を備える全部床義歯の人工歯配列訓練用の模型セットの使用方法であって、
前記下顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側前歯部を参考としながら、前記パラフィンワックス、軟質ワックス又は硬質ワックスを熱源で溶融して該咬合堤に前記下顎左側前歯部としての人工歯を排列する下顎前歯部の第１排列工程と、
前記下顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側前歯部を参考としながら、前記パラフィンワックス、軟質ワックス又は硬質ワックスを熱源で溶融して該咬合堤に前記下顎右側前歯部としての人工歯を排列する下顎前歯部の第２排列工程と、備えることを特徴とする全部床義歯の人工歯配列訓練用の模型セットの使用方法。
【請求項６】
前記模型セットは、咬合堤に、下顎臼歯部を設ける一方、下顎右側前歯部及び下顎左側前歯部を欠損し、その欠損した該下顎右側前歯部及び下顎左側前歯部と対応する前記咬合堤の所定部位に切欠部を設けてなる下顎前歯部用の第３模型を更に備え、
前記下顎前歯部の第１排列工程及び第２排列工程の後に、前記下顎前歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記下顎右側前歯部及び下顎左側前歯部としての人工歯を排列する下顎前歯部の第３排列工程を更に備える請求項５記載の全部床義歯の人工歯配列訓練用の模型セットの使用方法。
【請求項７】
咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備える全部床義歯の人工歯配列訓練用の模型セットの使用方法であって、
前記下顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側臼歯部を参考としながら、前記パラフィンワックス、軟質ワックス又は硬質ワックスを熱源で溶融して該咬合堤に前記下顎左側臼歯部としての人工歯を排列する下顎臼歯部の第１排列工程と、
前記下顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側臼歯部を参考としながら、前記パラフィンワックス、軟質ワックス又は硬質ワックスを熱源で溶融して該咬合堤に前記下顎右側臼歯部としての人工歯を排列する下顎臼歯部の第２排列工程と、を備えることを特徴とする全部床義歯の人工歯配列訓練用の模型セットの使用方法。
【請求項８】
前記模型セットは、咬合堤に、下顎前歯部を設ける一方、下顎右側臼歯部及び下顎左側臼歯部を欠損し、その欠損した該下顎右側臼歯部及び下顎左側臼歯部と対応する前記咬合堤の所定部位に切欠部を設けてなる下顎臼歯部用の第３模型を更に備え、
前記下顎臼歯部の第１排列工程及び第２排列工程の後に、前記下顎臼歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記下顎右側臼歯部及び下顎左側臼歯部としての人工歯を排列する下顎臼歯部の第３排列工程を更に備える請求項７記載の全部床義歯の人工歯配列訓練用の模型セットの使用方法。
【請求項９】
咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、
咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、
咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、
咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備える全部床義歯の人工歯配列訓練用の模型セットの使用方法であって、
前記上顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側前歯部を参考としながら、前記パラフィンワックス、軟質ワックス又は硬質ワックスを熱源で溶融して該咬合堤に前記上顎左側前歯部としての人工歯を排列する上顎前歯部の第１排列工程と、
前記上顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側前歯部を参考としながら、前記パラフィンワックス、軟質ワックス又は硬質ワックスを熱源で溶融して該咬合堤に前記上顎右側前歯部としての人工歯を排列する上顎前歯部の第２排列工程と、
前記上顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側臼歯部を参考としながら、前記パラフィンワックス、軟質ワックス又は硬質ワックスを熱源で溶融して該咬合堤に前記上顎左側臼歯部としての人工歯を排列する上顎臼歯部の第１排列工程と、
前記上顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側臼歯部を参考としながら、前記パラフィンワックス、軟質ワックス又は硬質ワックスを熱源で溶融して該咬合堤に前記上顎右側臼歯部としての人工歯を排列する上顎臼歯部の第２排列工程と、
前記下顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側前歯部を参考としながら、前記パラフィンワックス、軟質ワックス又は硬質ワックスを熱源で溶融して該咬合堤に前記下顎左側前歯部としての人工歯を排列する下顎前歯部の第１排列工程と、
前記下顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側前歯部を参考としながら、前記パラフィンワックス、軟質ワックス又は硬質ワックスを熱源で溶融して該咬合堤に前記下顎右側前歯部としての人工歯を排列する下顎前歯部の第２排列工程と、
前記下顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側臼歯部を参考としながら、前記パラフィンワックス、軟質ワックス又は硬質ワックスを熱源で溶融して該咬合堤に前記下顎左側臼歯部としての人工歯を排列する下顎臼歯部の第１排列工程と、
前記下顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側臼歯部を参考としながら、前記パラフィンワックス、軟質ワックス又は硬質ワックスを熱源で溶融して該咬合堤に前記下顎右側臼歯部としての人工歯を排列する下顎臼歯部の第２排列工程と、を備えることを特徴とする全部床義歯の人工歯配列訓練用の模型セットの使用方法。
【請求項１０】
前記模型セットは、
咬合堤に、上顎臼歯部を設ける一方、上顎右側前歯部及び上顎左側前歯部を欠損し、その欠損した該上顎右側前歯部及び上顎左側前歯部と対応する前記咬合堤の所定部位に切欠部を設けてなる上顎前歯部用の第３模型と、
咬合堤に、上顎前歯部を設ける一方、上顎右側臼歯部及び上顎左側臼歯部を欠損し、その欠損した該上顎右側臼歯部及び上顎左側臼歯部と対応する前記咬合堤の所定部位に切欠部を設けてなる上顎臼歯部用の第３模型と、
咬合堤に、下顎臼歯部を設ける一方、下顎右側前歯部及び下顎左側前歯部を欠損し、その欠損した該下顎右側前歯部及び下顎左側前歯部と対応する前記咬合堤の所定部位に切欠部を設けてなる下顎前歯部用の第３模型と、
咬合堤に、下顎前歯部を設ける一方、下顎右側臼歯部及び下顎左側臼歯部を欠損し、その欠損した該下顎右側臼歯部及び下顎左側臼歯部と対応する前記咬合堤の所定部位に切欠部を設けてなる下顎臼歯部用の第３模型と、を更に備え、
前記上顎前歯部の第１排列工程及び第２排列工程の後に、前記上顎前歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記上顎右側前歯部及び上顎左側前歯部としての人工歯を排列する上顎前歯部の第３排列工程と、
前記上顎臼歯部の第１排列工程及び第２排列工程の後に、前記上顎臼歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記上顎右側臼歯部及び上顎左側臼歯部としての人工歯を排列する上顎臼歯部の第３排列工程と、
前記下顎前歯部の第１排列工程及び第２排列工程の後に、前記下顎前歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記下顎右側前歯部及び下顎左側前歯部としての人工歯を排列する下顎前歯部の第３排列工程と、
前記下顎臼歯部の第１排列工程及び第２排列工程の後に、前記下顎臼歯部用の第３模型の前記切欠部にパラフィンワックス、軟質ワックス又は硬質ワックスを詰め込んで前記咬合堤を修復し、その後、前記パラフィンワックス、軟質ワックス又は硬質ワックスを熱源で溶融して該咬合堤に前記下顎右側臼歯部及び下顎左側臼歯部としての人工歯を排列する下顎臼歯部の第３排列工程と、を更に備える請求項９記載の全部床義歯の人工歯配列訓練用の模型セットの使用方法。
【請求項１１】
請求項１記載の使用方法で使用される全部床義歯の人工歯配列訓練用の模型セットであって、
咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、を備えることを特徴とする全部床義歯の人工歯配列訓練用の模型セット。
【請求項１２】
咬合堤に、上顎臼歯部を設ける一方、上顎右側前歯部及び上顎左側前歯部を欠損し、その欠損した該上顎右側前歯部及び上顎左側前歯部と対応する前記咬合堤の所定部位に切欠部を設けてなる上顎前歯部用の第３模型を更に備える請求項１１記載の全部床義歯の人工歯配列訓練用の模型セット。
【請求項１３】
請求項３記載の使用方法で使用される全部床義歯の人工歯配列訓練用の模型セットであって、
咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、を備えることを特徴とする全部床義歯の人工歯配列訓練用の模型セット。
【請求項１４】
咬合堤に、上顎前歯部を設ける一方、上顎右側臼歯部及び上顎左側臼歯部を欠損し、その欠損した該上顎右側臼歯部及び上顎左側臼歯部と対応する前記咬合堤の所定部位に切欠部を設けてなる上顎臼歯部用の第３模型を更に備える請求項１３記載の全部床義歯の人工歯配列訓練用の模型セット。
【請求項１５】
請求項５記載の使用方法で使用される全部床義歯の人工歯配列訓練用の模型セットであって、
咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、を備えることを特徴とする全部床義歯の人工歯配列訓練用の模型セット。
【請求項１６】
咬合堤に、下顎臼歯部を設ける一方、下顎右側前歯部及び下顎左側前歯部を欠損し、その欠損した該下顎右側前歯部及び下顎左側前歯部と対応する前記咬合堤の所定部位に切欠部を設けてなる下顎前歯部用の第３模型を更に備える請求項１５記載の全部床義歯の人工歯配列訓練用の模型セット。
【請求項１７】
請求項７記載の使用方法で使用される全部床義歯の人工歯配列訓練用の模型セットであって、
咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備えることを特徴とする全部床義歯の人工歯配列訓練用の模型セット。
【請求項１８】
咬合堤に、下顎前歯部を設ける一方、下顎右側臼歯部及び下顎左側臼歯部を欠損し、その欠損した該下顎右側臼歯部及び下顎左側臼歯部と対応する前記咬合堤の所定部位に切欠部を設けてなる下顎臼歯部用の第３模型を更に備える請求項１７記載の全部床義歯の人工歯配列訓練用の模型セット。
【請求項１９】
請求項９記載の使用方法で使用される全部床義歯の人工歯配列訓練用の模型セットであって、
咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、
咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、
咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、
咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備えることを特徴とする全部床義歯の人工歯配列訓練用の模型セット。
【請求項２０】
咬合堤に、上顎臼歯部を設ける一方、上顎右側前歯部及び上顎左側前歯部を欠損し、その欠損した該上顎右側前歯部及び上顎左側前歯部と対応する前記咬合堤の所定部位に切欠部を設けてなる上顎前歯部用の第３模型と、
咬合堤に、上顎前歯部を設ける一方、上顎右側臼歯部及び上顎左側臼歯部を欠損し、その欠損した該上顎右側臼歯部及び上顎左側臼歯部と対応する前記咬合堤の所定部位に切欠部を設けてなる上顎臼歯部用の第３模型と、
咬合堤に、下顎臼歯部を設ける一方、下顎右側前歯部及び下顎左側前歯部を欠損し、その欠損した該下顎右側前歯部及び下顎左側前歯部と対応する前記咬合堤の所定部位に切欠部を設けてなる下顎前歯部用の第３模型と、
咬合堤に、下顎前歯部を設ける一方、下顎右側臼歯部及び下顎左側臼歯部を欠損し、その欠損した該下顎右側臼歯部及び下顎左側臼歯部と対応する前記咬合堤の所定部位に切欠部を設けてなる下顎臼歯部用の第３模型と、を更に備える請求項１９記載の全部床義歯の人工歯配列訓練用の模型セット。
【請求項２１】
前記第１模型及び前記第２模型における前記咬合堤の前記切欠部の形成面側には、人工歯の排列方向に沿って延びる凹部が形成されている請求項１１乃至２０のいずれか一項に記載の全部床義歯の人工歯配列訓練用の模型セット。
【発明の詳細な説明】
【０００１】
【発明の属する技術分野】
本発明は、全部床義歯の人工歯配列訓練用の模型セットの使用方法及びその使用方法に使用される模型セットに関し、更に詳しくは、全部床義歯の人工歯配列、特に、人口歯の排列技術を迅速かつ確実に習得できる全部床義歯の人工歯配列訓練用の模型セットの使用方法及びその使用方法に使用される模型セットに関する。
本発明は、特に、歯科技工を勉強しようと思う者が専門学校又は歯科大学において全部床義歯を製作する技術を習得する過程でトレーニング用として適格に使用される。
【０００２】
【従来の技術】
従来、学生が全部床義歯の人工歯配列の技術を習得する場合、特定の形状・構造を備えた訓練用の模型に人工歯を反復して排列するというトレーニングが行なわれている。上記人工歯配列訓練用の模型は、例えば、図１１、１２に示すように、石膏からなる上顎模型ＭＡにパラフィンワックスからなるロー堤ＢＲを取付けて構成される。そして、トレーニングの際、図１３に示すように、ロー堤ＢＲの所定部位を部分的に熱源により溶融し、その溶融箇所に人工歯ＡＴを押付けて植設し、人口歯ＡＴが排列されることとなる。
【０００３】
【発明が解決しようとする課題】
しかし、上述のトレーニングにおいて、人工歯の大きさ・形状はもとより人工歯が咬合平面から離れる距離や三次元軸に対する傾斜角等の排列条件がそれぞれ相違している。これを、上顎左側前歯部２１，２２，２３を排列する場合を例にとって説明すると、図１４に示すように、上顎左側前歯部２１，２２，２３の傾斜角、すなわち、夫々の歯部の各中心線ａ、ｂ、ｃと咬合平面に垂直に降ろした垂直線Ｙとのなす傾斜角α、β及びγを周方向Ｘに沿って見ると、それらは８７〜９０度、８０〜８５度、８０〜９０度とそれぞれ相違しているとともに、図１５に示すように、ロー提ＢＲの横断面における前記中心線ａ、ｂ、ｃと垂直線Ｙとのなす傾斜角δも人工歯毎にそれぞれ相違している。
【０００４】
従って、学生は人工歯毎に排列条件を記憶するとともに、その排列条件を満たすように人工歯を排列して真の全部床義歯を製作できるよう体得しなければならい。しかし、教官の指導のもとに人工歯を排列するとは言え、三次元的排列条件をマスターすることは初期段階では非常に困難であり、通常は１本の人工歯を植設する毎に教官に植設状態の良否を確認して貰ってから次のステップに進むようにしている。そのため、このトレーニングでは、訓練生及び教官にとって多くの時間を割かねばならない。また、仮に教官への良否の確認を怠って初期の人口歯の植設が誤っていて、そのまま気付かずに全部の人工歯を植設してしまうと、上顎と下顎の人工歯は全く咬合しないという事態に陥り、そのトレーニングは水泡に帰する恐れがある。
さらに、上述のトレーニングは、６本の上顎前歯部を排列し、その後、８本の上顎臼歯部を排列して一連の訓練が行われているため、訓練生が、例えば上側臼歯部の排列が苦手であり、上顎臼歯部のみの排列を集中的に繰返し訓練したくてもできなかった。
【０００５】
本発明は、上記問題を解決するものであり、全部床義歯技工、特に、人口歯の排列技術を迅速かつ確実に習得できる全部床義歯の人工歯配列訓練用の模型セットの使用方法及びその使用方法に使用される模型セットを提供することにある。
【０００６】
【課題を解決するための手段】
本発明の全部床義歯の人工歯配列訓練用の模型セットの使用方法は、咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、を備える全部床義歯の人工歯配列訓練用の模型セットの使用方法であって、
前記上顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側前歯部を参考としながら、前記パラフィンワックス、軟質ワックス又は硬質ワックスを熱源で溶融して該咬合堤に前記上顎左側前歯部としての人工歯を排列する上顎前歯部の第１排列工程と、
前記上顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側前歯部を参考としながら、前記パラフィンワックス、軟質ワックス又は硬質ワックスを熱源で溶融して該咬合堤に前記上顎右側前歯部としての人工歯を排列する上顎前歯部の第２排列工程と、を備えることを特徴とする。
【０００７】
また、他の本発明の全部床義歯の人工歯配列訓練用の模型セットの使用法は、咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、を備える全部床義歯の人工歯配列訓練用の模型セットの使用方法であって、
前記上顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側臼歯部を参考としながら、前記パラフィンワックス、軟質ワックス又は硬質ワックスを熱源で溶融して該咬合堤に前記上顎左側臼歯部としての人工歯を排列する上顎臼歯部の第１排列工程と、
前記上顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側臼歯部を参考としながら、前記パラフィンワックス、軟質ワックス又は硬質ワックスを熱源で溶融して該咬合堤に前記上顎右側臼歯部としての人工歯を排列する上顎臼歯部の第２排列工程と、を備えることを特徴とする。
【０００８】
また、他の本発明の全部床義歯の人工歯配列訓練用の模型セットの使用方法は、咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、を備える全部床義歯の人工歯配列訓練用の模型セットの使用方法であって、
前記下顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側前歯部を参考としながら、前記パラフィンワックス、軟質ワックス又は硬質ワックスを熱源で溶融して該咬合堤に前記下顎左側前歯部としての人工歯を排列する下顎前歯部の第１排列工程と、
前記下顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側前歯部を参考としながら、前記パラフィンワックス、軟質ワックス又は硬質ワックスを熱源で溶融して該咬合堤に前記下顎右側前歯部としての人工歯を排列する下顎前歯部の第２排列工程と、備えることを特徴とする。
【０００９】
さらに、他の本発明の全部床義歯の人工歯配列訓練用の模型セットの使用方法は、咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備える全部床義歯の人工歯配列訓練用の模型セットの使用方法であって、
前記下顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側臼歯部を参考としながら、前記パラフィンワックス、軟質ワックス又は硬質ワックスを熱源で溶融して該咬合堤に前記下顎左側臼歯部としての人工歯を排列する下顎臼歯部の第１排列工程と、
前記下顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側臼歯部を参考としながら、前記パラフィンワックス、軟質ワックス又は硬質ワックスを熱源で溶融して該咬合堤に前記下顎右側臼歯部としての人工歯を排列する下顎臼歯部の第２排列工程と、を備えることを特徴とする。
さらに、他の本発明の全部床義歯の人工歯配列訓練用の模型セットの使用方法は、咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、
咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、
咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、
咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備える全部床義歯の人工歯配列訓練用の模型セットの使用方法であって、
前記上顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側前歯部を参考としながら、前記パラフィンワックス、軟質ワックス又は硬質ワックスを熱源で溶融して該咬合堤に前記上顎左側前歯部としての人工歯を排列する上顎前歯部の第１排列工程と、
前記上顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側前歯部を参考としながら、前記パラフィンワックス、軟質ワックス又は硬質ワックスを熱源で溶融して該咬合堤に前記上顎右側前歯部としての人工歯を排列する上顎前歯部の第２排列工程と、
前記上顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記上顎右側臼歯部を参考としながら、前記パラフィンワックス、軟質ワックス又は硬質ワックスを熱源で溶融して該咬合堤に前記上顎左側臼歯部としての人工歯を排列する上顎臼歯部の第１排列工程と、
前記上顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記上顎左側臼歯部を参考としながら、前記パラフィンワックス、軟質ワックス又は硬質ワックスを熱源で溶融して該咬合堤に前記上顎右側臼歯部としての人工歯を排列する上顎臼歯部の第２排列工程と、
前記下顎前歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側前歯部を参考としながら、前記パラフィンワックス、軟質ワックス又は硬質ワックスを熱源で溶融して該咬合堤に前記下顎左側前歯部としての人工歯を排列する下顎前歯部の第１排列工程と、
前記下顎前歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側前歯部を参考としながら、前記パラフィンワックス、軟質ワックス又は硬質ワックスを熱源で溶融して該咬合堤に前記下顎右側前歯部としての人工歯を排列する下顎前歯部の第２排列工程と、
前記下顎臼歯部用の第１模型の前記切欠部にパラフィンワックス、軟質ワックス又は硬質ワックスを詰め込んで前記咬合堤を修復し、その後、該咬合堤の該切欠部の反対側に予め設けられた前記下顎右側臼歯部を参考としながら、前記パラフィンワックス、軟質ワックス又は硬質ワックスを熱源で溶融して該咬合堤に前記下顎左側臼歯部としての人工歯を排列する下顎臼歯部の第１排列工程と、
前記下顎臼歯部用の第２模型の前記切欠部にパラフィンワックス、軟質ワックス又は硬質ワックスを詰め込んで前記咬合堤を修復し、その後、該咬合堤の該切欠部の反対側に予め設けられた前記下顎左側臼歯部を参考としながら、前記パラフィンワックス、軟質ワックス又は硬質ワックスを熱源で溶融して該咬合堤に前記下顎右側臼歯部としての人工歯を排列する下顎臼歯部の第２排列工程と、を備えることを特徴とする。
本発明の全部床義歯の人工歯配列訓練用の模型セットは、請求項１記載の使用方法で使用される全部床義歯の人工歯配列訓練用の模型セットであって、
咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、を備えることを特徴とする。
また、他の本発明の全部床義歯の人工歯配列訓練用の模型セットは、請求項３記載の使用方法で使用される全部床義歯の人工歯配列訓練用の模型セットであって、
咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、を備えることを特徴とする。
また、他の本発明の全部床義歯の人工歯配列訓練用の模型セットは、請求項５記載の使用方法で使用される全部床義歯の人工歯配列訓練用の模型セットであって、
咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、を備えることを特徴とする。
また、他の本発明の全部床義歯の人工歯配列訓練用の模型セットは、請求項７記載の使用方法で使用される全部床義歯の人工歯配列訓練用の模型セットであって、
咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備えることを特徴とする。
また、他の本発明の全部床義歯の人工歯配列訓練用の模型セットは、請求項９記載の使用方法で使用される全部床義歯の人工歯配列訓練用の模型セットであって、
咬合堤に、上顎臼歯部と上顎右側前歯部とを設ける一方、上顎左側前歯部を欠損し、その欠損した該上顎左側前歯部と対応する前記咬合堤の所定部位に切欠部を設けてなる上顎前歯部用の第１模型と、
咬合堤に、上顎臼歯部と上顎左側前歯部とを設ける一方、上顎右側前歯部を欠損し、その欠損した該上顎右側前歯部と対応する前記咬合堤の所定部位に切欠部を設けてなる上顎前歯部用の第２模型と、
咬合堤に、上顎前歯部と上顎右側臼歯部とを設ける一方、上顎左側臼歯部を欠損し、その欠損した該上顎左側臼歯部と対応する前記咬合堤の所定部位に切欠部を設けてなる上顎臼歯部用の第１模型と、
咬合堤に、上顎前歯部と上顎左側臼歯部とを設ける一方、上顎右側臼歯部を欠損し、その欠損した該上顎右側臼歯部と対応する前記咬合堤の所定部位に切欠部を設けてなる上顎臼歯部用の第２模型と、
咬合堤に、下顎臼歯部と下顎右側前歯部とを設ける一方、下顎左側前歯部を欠損し、その欠損した該下顎左側前歯部と対応する前記咬合堤の所定部位に切欠部を設けてなる下顎前歯部用の第１模型と、
咬合堤に、下顎臼歯部と下顎左側前歯部とを設ける一方、下顎右側前歯部を欠損し、その欠損した該下顎右側前歯部と対応する前記咬合堤の所定部位に切欠部を設けてなる下顎前歯部用の第２模型と、
咬合堤に、下顎前歯部と下顎右側臼歯部とを設ける一方、下顎左側臼歯部を欠損し、その欠損した該下顎左側臼歯部と対応する前記咬合堤の所定部位に切欠部を設けてなる下顎臼歯部用の第１模型と、
咬合堤に、下顎前歯部と下顎左側臼歯部とを設ける一方、下顎右側臼歯部を欠損し、その欠損した該下顎右側臼歯部と対応する前記咬合堤の所定部位に切欠部を設けてなる下顎臼歯部用の第２模型と、を備えることを特徴とする。
【００１０】
上記「全部床義歯の人工歯配列訓練用の模型」は、通常、上顎模型と下顎模型とを組み合わせて使用される。また、その材質としては、特に問わないが、例えば、石膏や合成樹脂等を挙げることができる。さらに、上記「切欠部」は、その形状、大きさ等を特に問わない。
また、「上顎右側臼歯部及び上顎左側臼歯部の何れか他方を欠損」する場合、例えば、図６に示すように、一番奥側の１本の上顎左側臼歯部２７（又は上顎右側臼歯部１７）を残して３本の上顎左側臼歯部２４，２５，２６（又は上顎右側臼歯部１４，１５，１６）を欠損することができる。これにより、この模型を用いたトレーニングの際、一番奥側の上顎左側臼歯部２７（又は上顎右側臼歯部１７）を参考となるので、他の３本の上顎左側臼歯部２４，２５，２６（又は上顎右側臼歯部１４，１５，１６）をより正確に排列することがきる。また、「下顎右側臼歯部及び下顎左側臼歯部の何れか他方を欠損」する場合、例えば、図８に示すように、一番奥側の下顎左側臼歯部３７（又は下顎右側臼歯部４７）を残して３本の下顎左側臼歯部３４，３５，３６（又は下顎右側臼歯部４４，４５，４６）を欠損することができる。これにより、この模型を用いたトレーニングの際、一番奥側の下顎左側臼歯部３７（又は下顎右側臼歯部４７）を参考としながら、他の下顎左側臼歯部３４，３５，３６（又は下顎右側臼歯部４４，４５，４６）をより正確に排列することができる。さらに、例えば、切欠部を形成する形成面側に凹部を設けることができる。これにより、切欠部に詰め込まれる硬化性材をより確実に保持することができる。
【００１１】
上記「硬化性材料」としては、例えば、パラフィンワックス、軟質ワックスや硬質ワックス等を挙げることができる。
【００１２】
【発明の効果】
本発明の全部床義歯の人工歯配列訓練用の模型によると、この模型を使用してトレーニングを行えば、学生は、模型に予め人工歯が形成されている反対側の前歯部や臼歯部を見本として参考にしながら人口歯の排列を行うことができる。その結果、学生は教官への確認を必要最小限として自習することができ、人口歯の排列技術を迅速かつ確実に習得できる。また、教官にとっては訓練（授業）を計画的に実施することができる。さらに、学生は、自身の苦手とする排列部分について集中的に繰返して訓練を行うことができる。
【００１３】
本発明の全部床義歯の人工歯配列訓練用の模型の使用方法によると、切欠部に硬化性材料を詰め込んで咬合堤を修復し、その後、咬合堤に人工歯を排列する際、模型の反対側に予め形成されている前歯部や臼歯部を見本として参考にしながら人口歯の排列を行うことができ、人口歯の排列技術を迅速かつ確実に習得することができる。
【００１４】
【発明の実施の形態】
以下、実施例により、本発明をより具体的に説明する。
先ず、全部床義歯の人工歯配列訓練用の基本模型について説明する。この基本模型では、図１及び図２に示すように、上顎模型ＭＡの咬合提ＢＲには、上顎右側前歯部１１，１２，１３、上顎左側前歯部２２，２３，２４、上顎右側臼歯部１４，１５，１６及び上顎左側臼歯部２４，２５，２６が設けられている。また、下顎模型ＭＢの咬合堤ＢＲには、下顎右側前歯部４１，４２，４３、下顎左側前歯部３１，３２，３３、下顎右側臼歯部４４，４５，４６，４７及び下顎左側臼歯部３４，３５，３６，３７が設けられている。
【００１５】
（１）全部床義歯の人工歯配列訓練用の模型の構成
次に、本発明に係る全部床義歯の人工歯配列訓練用の模型について説明する。図３及び図４に示すように、上顎模型ＭＡの咬合堤ＢＲには、上顎右側前歯部１１，１２，１３、上顎右側臼歯部１４，１５，１６，１７及び上顎左側臼歯部２４，２５，２６，２７が設けられる一方、上顎左側前歯部２１，２２，２３が欠損されている。そして、その欠損された上顎左側前歯部２１，２２，２３と対応する咬合提ＢＲの所定部位に切欠部Ｓが形成されている。この切欠部Ｓを形成する形成面には、上顎左側前歯部２１，２２，２３の排列方向に沿って延びる凹部Ｎが形成されている。
尚、図示は省略するが、上記模型と左右を逆にして、上顎右側前歯部１１，１２，１３が欠損された本発明に係る模型が用意される。また、図５に示すように、上顎模型ＭＡの咬合堤ＢＲに、上顎右側臼歯部１４，１５，１６，１７及び上顎左側臼歯部２４，２５，２６，２７が設けられる一方、上顎右側前歯部１１，１２，１３及び上顎左側前歯部２１，２２，２３が欠損された模型が用意される。
【００１６】
また、本発明に係る模型として、図６に示すように、上顎模型ＭＡの咬合堤ＢＲに、上顎右側前歯部１１，１２，１３、上顎左側前歯部２１，２２，２３、上顎右側臼歯部１４，１５，１６，１７及び一番奥側の一本の上顎左側臼歯部２７が設けられる一方、３本の上顎左側臼歯部２４，２５，２６が欠損されたものが用意される。
尚、図示は省略するが、上記模型と左右を逆にして、３本の上顎右側臼歯部１４，１５，１６が欠損された本発明に係る模型が用意される。さらに、３本の上顎左側臼歯部２４，２５，２６及び３本の上顎右側臼歯部１４，１５，１６が欠損された模型が用意される。
【００１７】
また、本発明に係る模型として、図７に示すように、下顎模型ＭＢの咬合堤ＢＲに、下顎右側前歯部４１，４２，４３、下顎右側臼歯部４４，４５，４６，４７及び下顎左側臼歯部３４，３５，３６，３７が設けられる一方、下顎左側前歯部３１，３２，３３が欠損されたものが用意される。
尚、図示は省略するが、上記模型と左右を逆にして、下顎右側前歯部４１，４２，４３が欠損された本発明に係る模型が用意される。さらに、下顎左側前歯部３１，３２，３３及び下顎右側前歯部４１，４２，４３が欠損された模型が用意される。
【００１８】
さらに、本発明に係る模型として、図８に示すように、下顎模型ＭＢの咬合堤ＢＲに、下顎右側前歯部４１，４２，４３、下顎左側前歯部３１，３２，３３、下顎右側臼歯部４４，４５，４６，４７及び一番奥側の１本の下顎左側臼歯部３７が設けられる一方、３本の下顎左側臼歯部３４，３５，３６が欠損されたものが用意される。
尚、図示は省略するが、上記模型と左右を逆にして、３本の下顎右側臼歯部４４，４５，４６が欠損された本発明に係る模型が用意される。さらに、３本の下顎右側臼歯部４４，４５，４６及び３本の下顎左側臼歯部３４，３５，３６が欠損された模型が用意される。
【００１９】
（２）全部床義歯の人工歯配列訓練用の模型の使用方法
ａ．上顎前歯部の排列
次に、上述のように構成される各模型を使用した人口歯の排列技術のトレーニング方法について説明する。先ず、上顎左側前歯部２１，２２，２３が欠損された模型（図４参照）を用いて、図９に示すように、切欠部Ｓに硬化性材料としてパラフィンワックスＭを軟化させて詰め込み硬化させ、咬合堤ＢＲを修復する。次いで、パラフィンワックスＭで置き換えられた咬合堤ＢＲの前面側の一部分を熱源で溶融して、図１０に示すように、上顎左側前歯部２１，２２，２３としての人工歯ＡＴを排列してゆく。この排列過程では、標準値として定められている人工歯ＡＴの取付位置や高さ、そして三次元軸に対する傾斜角に基づいて人工歯ＡＴを排列する際に、咬合堤ＢＲに予め形成された上顎右側前歯部１１，１２，１３と左右対称に人工歯ＡＴが排列されたか否かを視認すればよいし、それに集中すれば結果的に極めて前記標準値を満たす条件で人工歯ＡＴは排列されることとなり、次第に三次元的人工歯の位置関係に基づいた配列技能も、繰返し訓練することによりだんだんと習得できるようになる。
【００２０】
さらに、上顎右側前歯部１１，１２，１３が欠損された模型（図示せず）を用いて、上述の作用と略同様にして、咬合堤ＢＲに予め形成された上顎左側前歯部２１，２２，２３を見本として参考にしながら、上顎右側前歯部１１，１２，１３としての人口歯ＡＴを排列してゆく。その後、上述のような見本を参考としながらの排列の技術を習得した後、上顎右側前歯部１１，１２，１３及び上顎左側前歯部２１，２２，２３が欠損された模型（図５参照）を用いて、何ら見本を参考せずに上顎前歯部１１，１２，１３，２１，２２，２３を排列してゆき、学生は上顎前歯部の排列技術を習得することとなる。
【００２１】
ｂ．下顎前歯部の排列
次に、下顎左側前歯部３１，３２，３３が欠損された模型（図７参照）を用いて、咬合堤ＢＲに予め形成された下顎右側前歯部４１，４２，４３を見本として参考にしながら、下顎左側前歯部３１，３２，３３としての人工歯ＡＴを排列してゆく。さらに、下顎右側前歯部４１，４２，４３が欠損された模型（図示せず）を用いて、咬合堤ＢＲに予め形成された下顎左側前歯部３１，３２，３３を見本として参考にしながら、下顎右側前歯部４１，４２，４３としての人口歯ＡＴを排列してゆく。その後、上述のような見本を参考としながらの排列技術を習得した後、下顎右側前歯部４１，４２，４３及び下顎左側前歯部３１，３２，３３が欠損された模型（図示せず）を用いて、何ら見本を参考せずに下顎前歯部３１，３２，３３，４１，４２，４３を排列してゆき、学生は下顎前歯部の排列技術を習得することとなる。
【００２２】
ｃ．下顎臼歯部の排列
次に、下顎左側臼歯部３４，３５，３６が欠損された模型（図８参照）を用いて、咬合堤ＢＲ予め形成された下顎右側臼歯部４４，４５，４６，４７及び一番奥側の下顎左側臼歯部３７を見本として参考にしながら、下顎左側臼歯部３４，３５，３６としての人工歯ＡＴを排列してゆく。さらに、下顎右側臼歯部４４，４５，４６が欠損された模型（図示せず）を用いて、咬合堤ＢＲに予め形成された下顎左側臼歯部３４，３５，３６，３７及び一番奥側の下顎右側臼歯部４７を見本として参考にしながら、下顎右側臼歯部４４，４５，４６としての人口歯ＡＴを排列してゆく。その後、上述のように見本を参考としながらの排列技術を習得した後、下顎右側臼歯部４４，４５，４６，４７及び下顎左側臼歯部３４，３５，３６，３７が欠損された模型（図示せず）を用いて、何ら見本を参考せずに下顎臼歯部３４，３５，３６，３７，４４，４５，４６，４７を排列してゆき、訓練生は下顎臼歯部の排列技術を習得することとなる。
【００２３】
ｄ．上顎臼歯部の排列
次に、上顎左側臼歯部２４，２５，２６が欠損された模型（図６参照）を用いて、咬合堤ＢＲに予め形成された上顎右側臼歯部１４，１５，１６，１７及び一番奥側の上顎左側臼歯部２７を見本として参考にしながら、上顎左側臼歯部２４，２５，２６としての人工歯ＡＴを排列してゆく。さらに、上顎右側臼歯部１４，１５，１６が欠損された模型（図示せず）を用いて、咬合堤ＢＲに予め形成された上顎左側臼歯部２４，２５，２６，２７及び一番奥側の上顎右側臼歯部１７を見本として参考にしながら、上顎右側臼歯部１４，１５，１６としての人口歯ＡＴを排列してゆく。その後、上述のように見本を参考としながらの排列技術を習得した後、上顎右側臼歯部１４，１５，１６，１７及び上顎左側臼歯部２４，２５，２６，２７が欠損された模型（図示せず）を用いて、何ら見本を参考せずに上顎臼歯部１４，１５，１６，１７，２４，２５，２６，２７を排列してゆき、訓練生は上顎臼歯部の排列技術を習得することとなる。
【００２４】
（３）実施例の効果
以上のように、特定の構造・形状の模型を、学生が学校や大学において全部床義歯を製作する技術を取得する過程でトレーニング手段として使用すると、そのトレーニングは次の点において成果を上げることができる。（１）学生は、咬合堤ＢＲに予め形成された見本を参考にしながら、それに倣って人工歯を排列できる。（２）そのためトレーニングの初期段階においては最初に植設した人工歯の植設状態が果たして正しいのか否かの判断が全くできなかったのであるが、それを自分で判断して排列技術の自習が可能になる。（３）従来の模型を使用した場合、学生は人工歯を１本植設する度に教官に確認・判断を求めていたのであるが、そのような確認・判断を求める必要がなくなり、トレーニングの効率化が可能になると同時に、教官の指導負担も著しく軽減される。（４）一度排列し終えた模型の切欠部Ｓを再生し、再度、人工歯を排列することができ、訓練生自身の苦手とする部位の排列訓練を集中的に繰返し練習できる。（５）欠損させる部位の異なる複数の模型を使って人口歯の排列のトレーニングを行うようにしたので、トレーニングを区分・スケジュール化して計画的に進めることができる。（６）下顎臼歯部や上顎臼歯部の排列訓練のための模型には、予め一番奥側の臼歯部が残されているので、この一番奥側の臼歯部を高さ基準の目安として参考にしながら、より確実な排列の訓練を行うことができる。
【００２５】
尚、本発明においては、前記具体的な実施例に示すものに限られず、目的、用途に応じて本発明の範囲内で種々変更した実施例とすることができる。即ち、上記実施例では、ａ．上顎前歯部、ｂ．下顎前歯部、ｃ．下顎臼歯部、ｄ．上顎臼歯部の順番で排列技術のトレーニングを行うようにしたが、これに限定されず、上顎と下顎を逆の順序で行ったり、左右側を逆の順序で行ったりしてもよい。また、本発明に係る模型を合成樹脂から製作するができるし、硬化性材料を水溶性合成樹脂や合成ゴム又は粘土に置き換えることができる。訓練生の習熟度に応じて咬合堤に残す見本歯部を減少させることもできるし、それらを間欠的に残すこともできる。
【図面の簡単な説明】
【図１】全部床義歯の人工歯配列訓練用の模型の基礎模型を示す側面図である。
【図２】上に示す図は、図１の上顎模型の平面図、下に示す図は、図１の下顎模型の平面図である。
【図３】本発明に係る全部床義歯の人工歯配列用の上顎模型を示す斜視図である。
【図４】上顎模型の平面図である。
【図５】全部床義歯の人工歯配列用の上顎模型の他の態様を示す平面図である。
【図６】全部床義歯の人工歯配列用の上顎模型の他の態様を示す平面図である。
【図７】全部床義歯の人工歯配列用の下顎模型の他の態様を示す平面図である。
【図８】全部床義歯の人工歯配列用の下顎模型の他の態様を示す平面図である。
【図９】上顎模型の使用方法を説明するための平面図である。
【図１０】上顎模型の使用方法を説明するための平面図である。
【図１１】従来技術に係る全部床義歯の人工歯配列用の上顎模型の組付図である。
【図１２】従来技術に係る全部床義歯の人工歯配列用の上顎模型の組付図である。
【図１３】従来技術に係る上顎模型の使用方法を説明するための斜視図である。
【図１４】上顎左側前歯部の排列条件を説明するための部分正面図である。
【図１５】図１４のＸＶ−ＸＶ視方向の断面図である。
【符号の説明】
１１，１２，１３：上顎右側前歯部、１４，１５，１６，１７：上顎右側臼歯部、２１，２２，２３：上顎左側前歯部、２４，２５，２６，２７：上顎左側臼歯部、３１，３２，３３：下顎左側前歯部、３４，３５，３６，３７：下顎左側臼歯部、４１，４２，４３：下顎右側前歯部、４４，４５，４６，４７：下顎右側臼歯部、ＢＲ：咬合提、Ｓ：切欠部。
【図１】
0003946058.tif 000002
【図２】
0003946058.tif 000003
【図３】
0003946058.tif 000004
【図４】
0003946058.tif 000005
【図５】
0003946058.tif 000006
【図６】
0003946058.tif 000007
【図７】
0003946058.tif 000008
【図８】
0003946058.tif 000009
【図９】
0003946058.tif 000010
【図１０】
0003946058.tif 000011
【図１１】
0003946058.tif 000012
【図１２】
0003946058.tif 000013
【図１３】
0003946058.tif 000014
【図１４】
0003946058.tif 000015
【図１５】
0003946058.tif 000016